(57)【要約】【課題】排気ダクトの組立て作業性を向上する。【解決手段】排気ダクト３７の筒状本体４０は、一対のフレーム３８，３９を組付け固定することで形成される。第１フレーム３８は、後面板４１と左右一対の側面板４２，４２とからコ字状に形成される。両側面板４２，４２の前端縁部に、フランジ４３，４３が形成される。第２フレーム３９は、前面板４４と左右一対の側部フランジ４５，４５とからコ字状に形成される。両側部フランジ４５，４５が左右両側面板４２，４２の外面に夫々当接すると共に、両フランジ４３，４３が前面板４４の内面に当接した状態で、第１フレーム３８の前側に第２フレーム３９が組付けられる。前面板４４とフランジ４３，４３とをリベットを介してカシメ固定することにより、両フレーム３８，３９が固定されて筒状本体４０が形成される。【選択図】　図１
2004008643.tif 000002
【特許請求の範囲】
【請求項１】
箱体（３２）に内部画成した収納部（３４）に熱風を強制循環することで、該収納部（３４）に収納した食器等を加熱・乾燥する熱風式保管庫（３１）に配設され、前記収納部（３４）の湿気を排出する排気ダクトにおいて、
第１面板（４１）および該第１面板（４１）の左右両側に夫々折曲形成された一対の第１側面板（４２，４２）からなるコ字状の第１フレーム（３８）と、
前記第１面板（４１）と対向する第２面板（４４）および該第２面板（４４）の左右両側に夫々折曲形成された一対の第２側面板（４５，４５）からなるコ字状の第２フレーム（３９）とを備え、
前記第１フレーム（３８）における両第１側面板（４２，４２）の開放端縁部には、他方の第１側面板（４２）に向けて折曲されて前記第２フレーム（３９）の第２面板（４４）と対向するフランジ（４３）が夫々形成され、
前記第２フレーム（３９）における両第２側面板（４５，４５）が第１フレーム（３８）の両第１側面板（４２，４２）の外面に夫々当接すると共に、前記両フランジ（４３，４３）が第２フレーム（３９）の第２面板（４４）の内面に当接した状態で、該第２面板（４４）と両フランジ（４３，４３）とを一方向からカシメ固定することで第１フレーム（３８）と第２フレーム（３９）とを組付け固定して筒状本体（４０）を形成した
ことを特徴とする熱風式保管庫の排気ダクト。
【請求項２】
前記第１フレーム（３８）における両第１側面板（４２，４２）の開放端縁部に形成されて第２フレーム（３９）側に開放する一対の第１切欠部（４６，４６）に、両第１側面板（４２，４２）の間に臨む開閉ダンパ（１４）を回動可能に軸支した支持軸（２５）の両軸端部が嵌挿され、前記第２フレーム（３９）における両第２側面板（４５，４５）の開放端縁部に形成されて第１フレーム（３８）側に開放する一対の第２切欠部（４７，４７）が、前記支持軸（２５）の両軸端部に嵌合するように第２フレーム（３９）が第１フレーム（３８）に組付けられている請求項１記載の熱風式保管庫の排気ダクト。
【請求項３】
箱体（３２）に内部画成した収納部（３４）に熱風を強制循環することで、該収納部（３４）に収納した食器等を加熱・乾燥する熱風式保管庫（３１）に配設され、前記収納部（３４）の湿気を排出する排気ダクト（３７）の組立方法であって、
第１面板（４１）および該第１面板（４１）の左右両側に夫々折曲形成された一対の第１側面板（４２，４２）からなるコ字状の第１フレーム（３８）に対し、支持軸（２５）に回動可能に軸支した開閉ダンパ（１４）を両第１側面板（４２，４２）間に臨ませた状態で、該支持軸（２５）の両軸端部を、両第１側面板（４２，４２）の開放端縁部に形成されて開放端側に開放する一対の第１切欠部（４６，４６）に嵌挿し、
次に、前記第１面板（４１）と対向する第２面板（４４）および該第２面板（４４）の左右両側に夫々折曲形成された一対の第２側面板（４５，４５）からなるコ字状の第２フレーム（３９）を、第２面板（４４）が第１面板（４１）と対向する状態で、両第２側面板（４５，４５）の開放端縁部に形成されて第１フレーム（３８）側に開放する一対の第２切欠部（４７，４７）が前記支持軸（２５）の両軸端部に嵌合するよう第１フレーム（３８）の開放側に組付け、
前記第１フレーム（３８）における両第１側面板（４２，４２）の開放端縁部に折曲形成されて第２フレーム（３９）における第２面板（４４）の内面に当接するフランジ（４３，４３）と該第２面板（４４）とを一方向からカシメ固定することで第１フレーム（３８）と第２フレーム（３９）とを組付け固定して、内部に前記開閉ダンパ（１４）を備えた筒状本体（４０）を形成するようにした
ことを特徴とする熱風式保管庫の排気ダクトの組立方法。
【発明の詳細な説明】
【０００１】
【発明の属する技術分野】
この発明は熱風式保管庫の排気ダクトおよびその組立方法に関し、更に詳細には、断熱箱体に内部画成した収納部に熱風を強制循環させて、該収納部に収納した食器等を加熱して消毒・乾燥を行なう熱風式保管庫に設けられて、前記収納部の湿気を外部に排出するための排気ダクトおよびその組立方法に関するものである。
【０００２】
【従来の技術】
断熱箱体に内部画成した収納部に食器等を収納し、この食器等に熱風を当てて加熱することで消毒・乾燥する熱風式保管庫では、消毒・乾燥工程の後半において、収納部の湿気を外部に排出して乾燥を促進させるための排気ダクトが配設されている。この排気ダクトは、図３に示す如く、一対のフレーム１０，１１を組付け固定することにより構成される筒状本体１３と、該筒状本体１３の内部に配設される開閉ダンパ１４と、該ダンパ１４を開閉作動するソレノイド１５とから基本的に構成される。筒状本体１３を構成する第１フレーム１０は、筒状本体１３の後面板１６および左側面板１７を構成するＬ字状に形成され、該左側面板１７の前端縁には、内側に向けて折曲された前フランジ１８が設けられる。これに対して第２フレーム１１は、筒状本体１３の前面板１９および右側面板２０を構成するＬ字状に形成され、該右側面板２０の後端縁には、内側に向けて折曲された後フランジ２１が設けられる。そして、第１フレーム１０の前フランジ１８を第２フレーム１１における前面板１９の内面に当接すると共に、第２フレーム１１の後フランジ２１を第１フレーム１０における後面板１６の内面に当接した状態で、前面板１９と前フランジ１８および後面板１６と後フランジ２１とを、夫々リベットを用いてカシメ固定することで筒状本体１３が形成されるようになっている。
【０００３】
前記筒状本体１３の内部には、所定寸法の開口部２２ａを開設したダンパ用支持枠２２が、前面板１９、後面板１６および左右の側面板１７，２０に対して夫々リベットを用いてカシメ固定されている。また筒状本体１３の内部には、前記ダンパ用支持枠２２の開口部２２ａを開閉する前記開閉ダンパ１４が回動可能に配設される。この開閉ダンパ１４は、開口部２２ａを閉成可能な矩形状本体２３の一端縁部に、幅方向に離間して一対の軸受部２４，２４が設けられ、該開閉ダンパ１４を筒状本体１３に収容した状態で、筒状本体１３および両軸受部２４，２４に穿設した通孔に支持軸２５を共通的に挿通することで、該開閉ダンパ１４が筒状本体１３の内部に回動可能に配設される。
【０００４】
前記開閉ダンパ１４には、両軸受部２４，２４の間に一対の取着片２６，２６が設けられ、両取着片２６，２６の間にロッド２７の一端部が第１連結ピン２８を介して連結されている。このロッド２７は、前記第２フレーム１１の前面板１９に形成された通孔１９ａを介して外方に延出しており、この延出端部が前記ソレノイド１５に第２連結ピン２９を介して連結されている。なお、ソレノイド１５は、第２フレーム１１の前面板１９にネジ止めされているベース３０にネジ止めしてある。
【０００５】
【発明が解決しようとする課題】
前記第１フレーム１０と第２フレーム１１との組付け固定に際し、前面板１９と前フランジ１８および後面板１６と後フランジ２１とをカシメ固定する方向が前と後の２方向となり、固定作業に際して両フレーム１０，１１を回転させる必要があり、手間が掛かる。また前記開閉ダンパ１４は、両フレーム１０，１１を組付け固定することで得られた筒状本体１３の内部に収容した状態で、前記支持軸２５を複数の通孔に挿通して組付けるため、筒状本体１３の狭い内部で該開閉ダンパ１４の通孔と支持軸２５とを位置合わせする煩雑な作業が必要となり、作業性に劣って組付けに時間が掛かる難点も指摘される。
【０００６】
【発明の目的】
本発明は、前述した従来の技術に内在している前記課題に鑑み、これを好適に解決するべく提案されたものであって、組立て作業性を向上し得る熱風式保管庫の排気ダクトおよびその組立方法を提供することを目的とする。
【０００７】
【課題を解決するための手段】
前記課題を克服し、所期の目的を好適に達成するため、本発明に係る熱風式保管庫の排気ダクトは、
箱体に内部画成した収納部に熱風を強制循環することで、該収納部に収納した食器等を加熱・乾燥する熱風式保管庫に配設され、前記収納部の湿気を排出する排気ダクトにおいて、
第１面板および該第１面板の左右両側に夫々折曲形成された一対の第１側面板からなるコ字状の第１フレームと、
前記第１面板と対向する第２面板および該第２面板の左右両側に夫々折曲形成された一対の第２側面板からなるコ字状の第２フレームとを備え、
前記第１フレームにおける両第１側面板の開放端縁部には、他方の第１側面板に向けて折曲されて前記第２フレームの第２面板と対向するフランジが夫々形成され、
前記第２フレームにおける両第２側面板が第１フレームの両第１側面板の外面に夫々当接すると共に、前記両フランジが第２フレームの第２面板の内面に当接した状態で、該第２面板と両フランジとを一方向からカシメ固定することで第１フレームと第２フレームとを組付け固定して筒状本体を形成したことを特徴とする。
【０００８】
前記課題を克服し、所期の目的を好適に達成するため、本発明に係る熱風式保管庫の排気ダクトの組立方法は、
箱体に内部画成した収納部に熱風を強制循環することで、該収納部に収納した食器等を加熱・乾燥する熱風式保管庫に配設され、前記収納部の湿気を排出する排気ダクトの組立方法であって、
第１面板および該第１面板の左右両側に夫々折曲形成された一対の第１側面板からなるコ字状の第１フレームに対し、支持軸に回動可能に軸支した開閉ダンパを両第１側面板間に臨ませた状態で、該支持軸の両軸端部を、両第１側面板の開放端縁部に形成されて開放端側に開放する一対の第１切欠部に嵌挿し、
次に、前記第１面板と対向する第２面板および該第２面板の左右両側に夫々折曲形成された一対の第２側面板からなるコ字状の第２フレームを、第２面板が第１面板と対向する状態で、両第２側面板の開放端縁部に形成されて第１フレーム側に開放する一対の第２切欠部が前記支持軸の両軸端部に嵌合するよう第１フレームの開放側に組付け、
前記第１フレームにおける両第１側面板の開放端縁部に折曲形成されて第２フレームにおける第２面板の内面に当接するフランジと該第２面板とを一方向からカシメ固定することで第１フレームと第２フレームとを組付け固定して、内部に前記開閉ダンパを備えた筒状本体を形成するようにしたことを特徴とする。
【０００９】
【発明の実施の形態】
次に、本発明に係る熱風式保管庫の排気ダクトおよびその組立方法につき、好適な実施例を挙げて、添付図面を参照しながら以下説明する。なお、実施例に係る排気ダクトを構成する各部材に関し、従来の技術で説明したと同一部材には同じ符号を付すものとする。
【００１０】
図１は、実施例に係る排気ダクトを分解状態で示すものであり、図２は、実施例の排気ダクトが採用される熱風式保管庫を示す概略図である。この熱風式保管庫３１は、断熱箱体（箱体）３２の内部に、その内壁と所要の空間３３を保持して収納部３４が設けられ、該収納部３４と空間３３とは所定部位で連通するよう構成される。前記空間３３にはヒータ３５および送風機３６が配置され、該送風機３６を運転することにより、収納部３４から吸込んだ空気を、ヒータ３５に接触して加熱して熱風とした後に再び収納部３４に吹込み、該収納部３４に収納されている食器等（図示せず）を加熱・乾燥するよう構成されている。
【００１１】
前記熱風式保管庫３１には、図２に示す如く、前記空間３３を介して収納部３４に連通する排気ダクト３７が設けられ、該ダクト３７は開閉ダンパ２２の開閉作動によって閉成または開放されるよう構成される。すなわち、開閉ダンパ２２を作動して排気ダクト３７を閉成したときには、前記収納部３４の湿気が外部に排出されることなく食器等が加熱されることで該食器等の消毒がなされ、排気ダクト３７を開放したときには、収納部３４の湿気が空間３３および排気ダクト３７を介して外部に排出されつつ食器等が加熱されることで該食器等の乾燥がなされるようになっている。
【００１２】
前記排気ダクト３７では、コ字状に形成された一対のフレーム３８，３９を組付け固定することで、角筒状の筒状本体４０が形成される。筒状本体４０を構成する第１フレーム３８は、後面板（第１面板）４１と、該後面板４１の左右両側において夫々前側に向けて折曲形成された左右一対の側面板（第１側面板）４２，４２とから、前側に開放するコ字状に形成される。また、左右の両側面板４２，４２の前端縁部（開放端縁部）には、内側（他方の側面板を向く側）を向くよう折曲された固定用フランジ（フランジ）４３，４３が形成されている。これに対し、筒状本体４０を構成する第２フレーム３９は、前面板（第２面板）４４と、該前面板４４の左右両側において夫々後側に向けて折曲形成された左右一対の側部フランジ（第２側面板）４５，４５とから、後側に開放するコ字状に形成される。そして、第２フレーム３９の両側部フランジ４５，４５が第１フレーム３８の左右両側面板４２，４２の外面に夫々当接すると共に、第１フレーム３８の前記両固定用フランジ４３，４３が第２フレーム３９の前面板４４の内面に当接した状態で、第１フレーム３８の前側（開放側）に第２フレーム３９が組付けられ、前面板４４と固定用フランジ４３，４３とをリベットを介してカシメ固定することにより両フレーム３８，３９が固定されて筒状本体４０が形成されるようになっている。
【００１３】
前記第１フレーム３８における左右両側面板４２，４２の前端縁部（開放端縁部）には、前側（開放端側であって第２フレーム側）に開放する第１切欠部４６，４６が形成される。また、第２フレーム３９の左右両側部フランジ４５，４５の後端縁部（開放端縁部）には、第１切欠部４６，４６と対応する位置に、後側（開放端側であって第１フレーム側）に開放する第２切欠部４７，４７が形成され、両フレーム４７，４７を組付けた際に対向する切欠部４６，４７間で、後述する支持軸２５の各軸端部を支持するよう構成されている。なお、後述するようにソレノイド１５で開閉ダンパ１４を開放する際にソレノイド側に引張られる支持軸２５が当接する第２切欠部４７の前端部は、該支持軸２５に倣う円弧状に形成され、開閉ダンパ１４の開放の際の位置決めを行ない得るようになっている。
【００１４】
前記筒状本体４０の内部に配設される開閉ダンパ１４は、後述するダンパ用支持枠２２に設けた開口部２２ａを閉成可能な矩形状本体２３を備え、該本体２３の前端部側の左右両端には、一対の軸受部２４，２４が折曲形成されている。各軸受部２４には通孔２４ａが穿設されており、両通孔２４ａ，２４ａに共通的に挿通した支持軸２５の各軸受部２４から外側に延出する軸端部が、前記第１切欠部４６，４６および第２切欠部４７，４７に嵌挿されることで、前記開閉ダンパ１４が筒状本体４０の内部に回動可能に収容されるようになっている。また矩形状本体２３の前端部には、両軸受部２４，２４の間に臨む位置に左右方向に離間する一対の取着片２６，２６が立設され、両取着片２６，２６間に第１連結ピン２８を介してロッド２７の一端部が回動可能に取付けてある。なお、前記各軸受部２４と第１フレーム３８の対応する側面板４２との間に臨む支持軸２５には樹脂ワッシャ４８が挿通されており、軸受部２４と側面板４２との摩耗防止を図るよう構成される。
【００１５】
前記筒状本体４０の内部には、前記開閉ダンパ１４の配設位置より下側に、矩形状の開口部２２ａを開設したダンパ用支持枠２２が前後および左右両側の４方からリベットを介してカシメ固定されており、該筒状本体４０は開口部２２ａを介して上下に連通するようになっている。そして、後述するソレノイド１５の非作動時において、前記開閉ダンパ１４がダンパ用支持枠２２の上面に当接支持されることで開口部２２ａが閉成されて、排気ダクト３７を介して湿気の排出が阻止されるよう構成される。なお、筒状本体４０の内部には、ダンパ用支持枠２２の配設位置より上方において、左右両側面板４２，４２間に取付軸４９が架設されており、該取付軸４９には樹脂製ホース５０が外嵌されている。この樹脂製ホース５０は、前記ソレノイド１５を作動して開口部２２ａを開放した開閉ダンパ１４が当接するよう位置決めされ、該ダンパ１４のビビリ音等の発生を抑制するべく機能する。
【００１６】
前記第２フレーム３９における前面板４４の所定位置に通孔４４ａが形成され、前記開閉ダンパ１４に連結されたロッド２７の他端部が、該通孔４４ａから外側に延出し、この延出部に保護板５１が外嵌されている。また、前面板４４にはベース３０が樹脂スペーサ５２を介してネジ止めされると共に、該ベース３０にネジ止めされている作動手段としてのソレノイド１５に、前記ロッド２７の他端部が第２連結ピン２９を介して連結されている。すなわち、ソレノイド１５を作動（励磁）することにより、前記開閉ダンパ１４がダンパ用支持枠２２から離間するよう回動して前記開口部２２ａを開放し、該ソレノイド１５の作動を解除（非励磁）することで、開閉ダンパ１４が開口部２２ａを閉成するようダンパ用支持枠２２上に当接支持されるようになっている。
【００１７】
前記筒状本体４０の内部上端には、所要寸法の開口部５３ａを開設したキャップ５３が配置され、該キャップ５３は、筒状本体４０の前面板４４にネジ止め固定されている。なお、前記第１フレーム３８の後面板４１には、キャップ５３の上面に延出する規制片５４が折曲形成されており、該キャップ５３の後端部が上方に抜けるのは規制片５４により防止されるよう構成してある。また筒状本体４０の外側全体には、断熱材５５が被覆されている。
【００１８】
【実施例の作用】
次に、前述のように構成した実施例に係る熱風式保管庫の排気ダクトの組立方法につき説明する。前記排気ダクト３７を組立てる場合は、先ず前記開閉ダンパ１４の取着片２６，２６にロッド２７の一端部を第１連結ピン２８を介して連結する。また、開閉ダンパ１４における一対の軸受部２４，２４に支持軸２５を挿通すると共に、該支持軸２５の各軸受部２４から外側に延出する部分に樹脂ワッシャ４８を夫々外嵌する。
【００１９】
前記第１フレーム３８に対し、前記ダンパ用支持枠２２を後面板４１および左右両側面板４２，４２にリベットを介して夫々カシメ固定する。この第１フレーム３８を、適宜の作業台の上に、図１に示すように開放側を上向きとした姿勢で載置する。この状態で、前記樹脂製ホース５０を外挿した取付軸４９を、第１フレーム３８の内側に挿入して、その両軸端を第１フレーム３８の左右両側面板４２，４２に設けた通孔に挿通する。
【００２０】
前記開閉ダンパ１４を第１フレーム３８の左右両側面板４２，４２間に臨ませると共に、該ダンパ１４に配設した支持軸２５の両軸端部を、左右両側面板４２，４２に形成した第１切欠部４６，４６に上側から嵌挿する。この状態で、第１フレーム３８に対して第２フレーム３９を上側から被せると共に、該フレーム３９の左右両側部フランジ４５，４５の第２切欠部４７，４７を前記支持軸２５の両軸端部に嵌合することで、支持軸２５は位置決め支持される。このとき、第２フレーム３９の両側部フランジ４５，４５が第１フレーム３８の左右両側面板４２，４２の外面に夫々当接すると共に、第１フレーム３８の前記両固定用フランジ４３，４３が第２フレーム３９における前面板４４の内面に当接している。従って、前面板４４と固定用フランジ４３，４３とをリベットを介して前側（一方）からカシメ固定することにより、両フレーム３８，３９が固定されて筒状本体４０が形成される。そして、このように構成された筒状本体４０の外側に、前記断熱材５５を被覆する。なお、第１フレーム３８の前側に第２フレーム３９を組付ける際に、前記ロッド２７の他端部を前面板４４の通孔４４ａから外方に延出させておく。
【００２１】
次に、前記第２フレーム３９の通孔４４ａから外方に延出する前記ロッド２７に保護板５１を嵌挿すると共に、該ロッド２７を前記ソレノイド１５に第２連結ピン２９を介して連結する。このソレノイド１５を前記ベース３０にネジ止めした後、該ベース３０を樹脂スペーサ５２と共に第２フレーム３９の前面板４４に上側からネジ止めする。また前記筒状本体４０の内部上端に、前記キャップ５３を、その後端部上面が前記第１フレーム３８の規制片５４に当接した状態で収容した後、前記前面板４４に該キャップ５３を前側からネジ止めする。
【００２２】
すなわち、前記排気ダクト３７を構成する筒状本体４０は、コ字状に形成された一対のフレーム３８，３９を一方向からのカシメ固定により組付け固定して形成するようにしたから、固定作業に際して固定されていない状態のフレーム３８，３９を回転させる必要はなく、作業能率が向上する。また筒状本体４０の内部に組付けられる前記ダンパ用支持枠２２や取付軸４９は、一方が開放する第１フレーム３８に予め固定あるいは組付けることができるから、筒状本体４０の形成後において、挟い内部で位置決めしたりカシメ固定する煩雑な作業を必要としない。
【００２３】
更に、前記開閉ダンパ１４の支持軸２５は、第１フレーム３８に第２フレーム３９を組付ける前に、前記第１切欠部４６，４６に支持させることができるから、筒状本体４０の形成後において組付ける場合に比較して作業能率が向上すると共に、作業時間を短縮し得る。更にまた、前記ソレノイド１５やベース３０およびキャップ５３等の主要部品は、作業台等に載置した状態の筒状本体４０に対して上側、すなわち一方からのリベットカシメ固定やネジ止めで組付け固定し得るから、固定作業に際して筒状本体４０を回転させる必要はなく、作業台等に載置した状態で安定して作業を行ない得る。
【００２４】
【発明の効果】
以上説明した如く、本発明に係る熱風式保管庫の排気ダクトおよびその組立方法では、コ字状に形成した一対のフレームを一方向からのカシメ固定により組付け固定して筒状本体を形成するようにしたから、固定作業に際しての作業能率を向上することができる。また、開閉ダンパの支持軸は、第１フレームに第２フレームを組付ける前に、前記第１切欠部に支持させることができるから、筒状本体の形成後において組付ける場合に比較して作業能率を向上し得ると共に、作業時間を短縮することができる。
【図面の簡単な説明】
【図１】本発明の好適な実施例に係る排気ダクトを分解した状態で示す概略斜視図である。
【図２】実施例に係る排気ダクトが採用される熱風式保管庫を示す概略構成図である。
【図３】従来の技術に係る排気ダクトを分解した状態で示す概略斜視図である。
【符号の説明】
１４　開閉ダンパ，２５　支持軸，３１　熱風式保管庫，３２　断熱箱体（箱体）
３４　収納部，３７　排気ダクト，３８　第１フレーム，３９　第２フレーム
４０　筒状本体，４１　後面板（第１面板），４２　側面板（第１側面板）
４３　固定用フランジ（フランジ），４４　前面板（第２面板）
４５　側部フランジ（第２側面板），４６　第１切欠部，４７　第２切欠部
【図１】
2004008643.tif 000003
【図２】
2004008643.tif 000004
【図３】
2004008643.tif 000005